(57)【要約】【課題】本発明は、コンタクトレンズの周囲縁に最低一つのパターンを備えたコンタクトレンズを提供する。【解決手段】本発明のコンタクトレンズは、一つの本体を含み、該本体には一つの周囲縁を設け、該周囲縁には最低一つのパターンを備え、該パターンは、弧形、三角形、四角形、面取りした三角形、及び面取りした四角形等の形状であり、該コンタクトレンズの潤い度を高め、異物感を減少させ、快適性及び安定性を向上させるものであり、コンタクトレンズの最大幅は、上限値より小さく、コンタクトレンズが眼球を覆った場合、眼球周囲の筋肉に制限されないことを特徴とするコンタクトレンズを提供する。【選択図】図１
2009003224.tif 000002
【特許請求の範囲】
【請求項１】
コンタクトレンズは、一つの本体を含み、該本体には一つの周囲縁を設け、該周囲縁には最低一つのパターンを備えるものであり、コンタクトレンズの最大幅は上限値より小さくし、コンタクトレンズが眼球を覆った場合、眼球周囲の筋肉に制限されないことを特徴とするコンタクトレンズ。
【請求項２】
前記上限値は、１８ミリメートルより小さいことを特徴とする請求項１記載のコンタクトレンズ。
【請求項３】
前記コンタクトレンズにおけるハードコンタクトレンズの該上限値は、１２ミリメートルより小さいことを特徴とする請求項２記載のコンタクトレンズ。
【請求項４】
前記コンタクトレンズのソフトコンタクトレンズの上限値は、１６ミリメートル未満であることを特徴とする請求項２記載のコンタクトレンズ。
【請求項５】
前記本体中心を通る径方向において、本体の該周囲縁から最低一つの該パターンのエッジまでの最大距離と、本体の中心から本体の周囲縁までの最大距離の比率は、１：２から１：４００までの間であることを特徴とする請求項１記載のコンタクトレンズ。
【請求項６】
前記比率は、１：４から１：１００までの間であることを特徴とする請求項５記載のコンタクトレンズ。
【請求項７】
前記パターンは、波線であることを特徴とする請求項１記載のコンタクトレンズ。
【発明の詳細な説明】
【技術分野】
【０００１】
本発明は、コンタクトレンズに関するものであり、特に、コンタクトレンズの周囲縁に最低一つのパターンを備えたコンタクトレンズを提供する。
【背景技術】
【０００２】
長い間、視力の悪化と退化は、人々を苦しめ続けている。特に、工業革命、情報革命の後、人々の生活は、農業社会から商業社会に移行し、現在の情報時代を迎えた。情報過多現象の発生に伴い、現代人は、更に多くの時間と精力を使って更に多くの情報をキャッチしなければならず、このような状況の下、目が演ずる役割もまた大きくなり、その重要性は以前に勝るものである。しかし、仕事量の加重により、現代人の視力悪化率は増加、視力退化率もまた持続的に上昇している。手術、通常の目のケア、または、最もよく用いられているメガネによる視力矯正の方法に関わらず、各種の視力改善に役立つ技術は、非常に急を要するものである。その内、メガネをかけることは、コストが低く副作用も小さい方法である。このような強烈な要望の下、伝統的なメガネまたはコンタクトレンズの技術は、日進月歩しており、その進歩は非常に迅速である。
【０００３】
眼鏡の発展は、西暦１２８９年のイタリアにおける文献に遡ることができる。その文献には、メガネの存在が正式に記録されている。後、メガネは進展を続け、特に、西暦１４８８年、新しい印刷技術の発明により、書籍の発行量が大幅に増加、読書人口が大量に増加したことにより、メガネは更に大幅な進歩を遂げた。西暦１８９９年、あるドイツの医師がダヴィンチの夢を実現した。ガラスレンズを角膜の上に置いて視力矯正するコンタクトレンズを発明したのである。コンタクトレンズと伝統的なメガネを比較すると、コンタクトレンズは、顔の輪郭曲線を破壊せず、伝統的なメガネをかけるのが不都合な特殊な場合に適する故に、その発展は加速化し、非常に多くの人が使用した。しかしながら、コンタクトレンズの長年の発展は、平滑な周囲縁の構造設計から脱することなく、その他の異なる周囲縁の設計構造がもたらす効果を軽んじてきた。米国特許番号第４，４３５，０５０号前案において、その設計特色は、レンズ上に窓型構造を設けることにあり、構造力学の観点から言えば、この構造は、コンタクトレンズ構造の弾性を増加するものであり、装着した場合、コンタクトレンズは角膜曲線に更にフィットし、細かい調整によって乱視矯正にも適合するものとなり、またその弾性構造設計は、ガラスをコンタクトレンズの作製材料とする可能性を向上させた。米国特許番号第４，６１８，２２７号前案において、該コンタクトレンズの周囲縁内側の角膜に接触する部分に微小の通り道を設け、涙の分布を助け、装着時の快適性を向上させ、また、該構造は多種の視力焦点に適合する設計で、老眼の矯正にも役立つものである。米国特許番号第４，８９０，９１１号前案においては、一つのサポート構造を設計している。該サポート構造により、コンタクトレンズと角膜に微小距離を保持させることにより、眼球の酸素透過率を高め、コンタクトレンズが涙の動きを妨げるのを防ぐ。しかし、前述案例における構造設計は、中空で、溝もしくは棒状外型等を備える構造であり、その設計は、コストを増加させ、装着が難しく、構造が脆弱である等の疑問が残り、更に、涙の作用と異物感の発生等、実際に装着した場合に起きる問題を考慮していない。よって多くの周囲縁の設計は、理想的な状況を生み出しておらず、種種の問題が存在していることから、市場において実際に使用されるに至っていない。また、現在のコンタクトレンズには、乾燥、潤い不足、もしくは機械性摩擦が引き起こす目の炎症や不適合等の問題がやはりあり、更にひどい場合は、視力の消失が生じている。
【発明の開示】
【発明が解決しようとする課題】
【０００４】
よって、いかに、大幅に潤い度を増加、異物感を減少、快適性及び安定性を増加させるコンタクトレンズを発明するかが、本発明が積極的に研究を進めてきた点であり、これによってコンタクトレンズ装着者の生活品質及び目の健康が改善されることを期待する。
【課題を解決するための手段】
【０００５】
上述した公知のコンタクトレンズの遺憾な点を鑑み、自身が眼科専門医である発明人は、多年の臨床医学の仕事に携わりながら、多くのコンタクトレンズ装着で引き起こされる問題に接触し観察を続け、現在現有するコンタクトレンズが完善でないことを感じていた。そこで全身全霊を傾けそれを克服する為に研究を行い、多年に渡り従事した医療における数多くの経験に基づいて、ついに、潤い度を高め、異物感を減少、快適性及び安定性を向上させることができる、周囲縁に最低一つのパターンを備えたコンタクトレンズの発明に至った。
【０００６】
本発明の主な目的は、潤い度を高め、異物感を減少させ、快適性及び安定性を向上できるコンタクトレンズの提供にある。それは、該コンタクトレンズの周囲縁に最低一つのパターンを設けて、装着時のコンタクトレンズと涙の接触面積を増加させ、周囲縁が伴う涙の量を増やし保湿作用を持たせ、異物感を減少、快適性と安定性を高めるものである。コンタクトレンズを装着した場合、まばたき時には、瞼とコンタクトレンズが摩擦して、コンタクトレンズが位置移動を起こすが、本発明における周囲縁の涙の量が増加することにより、該コンタクトレンズの質量を増加、まばたきした時は、コンタクトレンズの質量が増加する故に、相対してコンタクトレンズの滑動による位置移動を減少させることができる。また、安定性が高められるので、視力の品質を向上させ、同時に、周囲縁が伴う涙の量が増加することにより潤い度を高め、まばたきした時の摩擦作用力を減少、また、コンタクトレンズを安定させる効果も発揮される。このように本発明は、潤い度を高め、異物感を減少し、快適性及び安定性を向上させる目的を達成することができる。
【０００７】
上述の目的を達成する為に、本発明は、一つのコンタクトレンズを提供する。それは、一つの本体を含み、該本体には一つの周囲縁を設け、該周囲縁は最低一つのパターンを備えるものであり、これにより、該コンタクトレンズは、潤い度を高め、異物感を減少し、快適性及び安定性を向上させることができる。コンタクトレンズの最大幅は、上限値より小さいものとし、コンタクトレンズが眼球を覆った時には眼球周囲の筋肉に制限されることがない。よって、本発明は、潤い度を大幅に高め、異物感を減少し、快適性及び安定性を向上させることのできるコンタクトレンズである。
【発明の効果】
【０００８】
以上説明したように、本発明のコンタクトレンズは、潤い度を高め、異物感を減少し、快適性及び安定性を向上させることを特徴とする。
【発明を実施するための最良の形態】
【０００９】
貴審査委員の方々に本発明の目的、特徴及び効果を十分に御理解いただく為に、下述の具体な実施例に図面を組み合わせて、本発明に一つの詳細なる説明を行う。その説明は下記のとおりである。
【実施例１】
【００１０】
図１及び図２にそれぞれ、本発明のコンタクトレンズに関する良好な実施例の前面及び立体図を示す。図に示すとおり、本発明のコンタクトレンズは、一つの本体１及び弧形パターン２１（もしくは波線パターン）を含む。一般的に言えば、人の目の直径は約２１ミリメートルから２６ミリメートル、角膜の直径は約１１ミリメートルから１２ミリメートル、眼球の上直筋と下直筋の間隔は約２５ミリメートル、眼球の内直筋と外直筋の間隔は約２４ミリメートルであり、現在市場で常用されているコンタクトレンズの内、ハードコンタクトレンズについて言えば、その直径は、約８ミリメートルから１１ミリメートル、ソフトコンタクトレンズの直径は、約１２ミリメートルから１６ミリメートルである。よって、本発明は、コンタクトレンズの本体１に周囲縁１１のパターンを加えた最大幅を、１８ミリメートルより小さい上限値として設定することにより、コンタクトレンズが眼球を覆った場合に、眼球周囲の筋肉に制限されることがない。これは例えば、瞼をまばたきしてコンタクトレンズを動かした時、コンタクトレンズとそれに対応する眼球の間に移動もしくは回転が発生し、眼球は外筋の影響を受けないなどである。ハードコンタクトレンズである場合、最大幅は角膜直径（１２ミリメートルより小さい）より小さくなければならず、ソフトコンタクトレンズである場合は、最大幅が角膜直径に制限されない大きさでなければならないが、装着の便利性を考えて、最大幅を１６ミリメートルより小さくしなければならない。また、本体中心を通る径方向において、本体１の周囲縁１１からパターンエッジの最大距離と、本体１の中心から本体１の周囲縁１１の最大距離の比率は、１：２から１：４００までの間とし、その内、良好例は、１：４から１：１００までの間である。
【００１１】
本発明のコンタクトレンズ使用時、弧形パターン２１を備えた周囲縁１１は、コンタクトレンズと涙の接觸の周囲長を効果的に長くする故、周囲縁１１が伴う涙の量を増加し、例えば半円形であるなら、周囲長が約０．５７倍長くなり、よって周囲縁１１の涙の量もまた約０．５７倍増加、それが該コンタクトレンズの質量を増加させる。ニュートン力学の第二法則によれば、作用力は質量と加速度の積に等しく、このように、まばたきした時、まばたきの作用力が変化しないという状況の下、コンタクトレンズの質量の増加により相対するコンタクトレンズの加速度は減少する。よって、コンタクトレンズは、滑動することにより生じる位置移動が減少、安定性が増し、視力の品質もまた向上、同時に、コンタクトレンズの周囲縁１１が伴う涙の量が増加して潤滑性も向上、まばたきした時の摩擦作用力を減少させ、コンタクトレンズの加速度及び位置移動もまた減少し、コンタクトレンズを安定させる作用を発揮、コンタクトレンズの周囲縁１１の涙の量が増加することにより、涙の潤滑によって異物感が減り、快適性が増す。また、弧形パターン２１を備えた周囲縁１１は、本体１の周囲縁１１近くの弧形パターン２１に分泌物を累積することがほぼない。
【００１２】
図３は、本発明の良好な実施例に関するコンタクトレンズの作製図である。図に示すとおり、本発明のコンタクトレンズは、一つの本体１及び弧形パターン２１（もしくは波線パターン）を含む。コンタクトレンズを作製する場合、まず、コンタクトレンズの周囲縁１１のパターンを設定し、その後、切削方法で不要な部分をカットするが、それはレーザーカットや機械カットの方法で行われる。また、鋳型方法も可能であり、その場合は、先に周囲縁１１パターンを含むコンタクトレンズのモールドを作製した後、該モールド内に流し込んで成形する。
【実施例２】
【００１３】
図４に、本発明のコンタクトレンズの実施例２の前面図を示す。図に示したとおり、本発明のコンタクトレンズは、一つの本体１及び楕円形状の弧形パターン２１１を含む。該楕円形状の弧形パターン２１１は、弧形パターンを楕円形線に沿って設けたものであり、それを図１の弧形パターン２１と比較すると、周囲長が更に長くなっており、それに伴う効果もまた向上する。
【実施例３】
【００１４】
図５は、本発明のコンタクトレンズの実施例３の前面図である。図に示したとおり、本発明のコンタクトレンズは、一つの本体１及び三角形パターン２２を含む。三角形パターン２２を備えた周囲縁１１の設計もまた、コンタクトレンズの周囲長を長くできる故、コンタクトレンズの周囲縁１１が伴う涙の量は大幅に増加する。例えば、正三角形である場合、周囲長は、ほぼ倍増加し、周囲縁１１の涙の量も同じくほぼ倍増え、それにより潤い度、安定性及び快適性が増して異物感が減少する。
【実施例４】
【００１５】
図６は、本発明のコンタクトレンズの実施例４の前面図である。図に示したとおり、本発明のコンタクトレンズは、一つの本体１及び面取りした三角形パターン２３を含む。面取りした後のパターンは、尖った箇所がなく、同時に、パターンを備えた周囲縁１１がもたらす長所を保つことができ、また、面取りを備えている故、装着時に使用者は快適感を増すことができ、本体１の周囲縁１１近くの面取りもまた、分泌物を累積することがない。
【実施例５】
【００１６】
図７は、本発明のコンタクトレンズの実施例５の前面図である。図に示したとおり、本発明のコンタクトレンズは、一つの本体１及び四角形パターン２４を含む。四角形パターン２４の周囲縁１１の設計により、コンタクトレンズ周囲長を大幅に長くすることができ、コンタクトレンズと涙が接触する周囲長を長くし、周囲縁１１が伴う涙の量を大幅に増加、例えば、正四角形の場合は、周囲長は約２倍増加し、周囲縁１１の涙の量もまた約２倍増加、その潤い度、安定性及び快適性もまた高められ異物感を減少させる。
【実施例６】
【００１７】
図８は、本発明のコンタクトレンズの実施例６の前面図である。図に示したとおり、本発明のコンタクトレンズは、一つの本体１及び面取りした四角形パターン２５を含む。四角形パターン２５を備えた周囲縁１１の設計は、潤い度、安定性及び快適性を増加させて異物感を減少させる他、それには更に面取りがある故、使用者が装着する場合の快適性を増し、本体１の周囲縁１１近くの面取りは、分泌物を累積することがほぼない。
【００１８】
よって、本発明のコンタクトレンズは、目に潤いを保たせ、コンタクトレンズが滑動する場合の摩擦力を高めるものである。また、本発明のコンタクトレンズは、まばたきや重力により生じる位置移動を減少させ、目の不快感を防ぐものである。人が立ち上がった時、本発明のコンタクトレンズは、涙が下方向に流れるのを防ぎ目に潤いを保持する構造である。この他、本発明のコンタクトレンズの周囲縁の非平滑構造もまた、涙の膜を作るのを助けるものである。
【図面の簡単な説明】
【００１９】
【図１】本発明のコンタクトレンズ実施例１に関する前面図である。
【図２】本発明のコンタクトレンズ実施例１に関する立体図である。
【図３】本発明のコンタクトレンズ実施例１に関する作製図である。
【図４】本発明のコンタクトレンズ実施例２に関する前面図である。
【図５】本発明のコンタクトレンズ実施例３に関する前面図である。
【図６】本発明のコンタクトレンズ実施例４に関する前面図である。
【図７】本発明のコンタクトレンズ実施例５に関する前面図である。
【図８】本発明のコンタクトレンズ実施例６に関する前面図である。
【符号の説明】
【００２０】
１      本体
１１    周囲縁
２１  弧形パターンの周囲縁
２１１楕円形状の弧形パターンの周囲縁
２２  三角形パターンの周囲縁
２３  面取りした三角形パターンの周囲縁
２４  四角形パターンの周囲縁
２５  面取りした四角形パターンの周囲縁
【図１】
2009003224.tif 000003
【図２】
2009003224.tif 000004
【図３】
2009003224.tif 000005
【図４】
2009003224.tif 000006
【図５】
2009003224.tif 000007
【図６】
2009003224.tif 000008
【図７】
2009003224.tif 000009
【図８】
2009003224.tif 000010